(57)【要約】      （修正有）【課題】自動的に且つ的確にモード設定を行うことができる警備システムを提供する。【解決手段】警備領域Ｔにおいて、電波を送信する送信機１と該送信された電波を受信する受信機２を備え、送信機から受信機へのマルチパスを含めた電波の伝搬情報を解析して警備領域内の状況を検出するセンシング手段３を用いた警備システムであって、検出された警備領域内状況が変化したときにセンシング手段によって検出される変化情報の内、ユーザーの外出時に特有の変化情報とユーザーの帰宅時に特有の変化情報をそれぞれ外出時変化情報及び帰宅時変化情報として予め記憶しておく記憶部６と、センシング手段によって検出された変化情報がユーザーの外出によるものか帰宅によるものかを記憶部に記憶された外出時変化情報又は帰宅時変化情報と照合して判定する判定部７と、判定部からの判定信号に基づいてモードの維持又は切り替えを行うモード設定部８とを有する。【選択図】図１
2020027408.tif 000002
【特許請求の範囲】
【請求項１】
電波を送信する送信機と該送信された電波を受信する受信機を備え、該送信機から該受信機へのマルチパスを含めた電波の伝搬情報を解析して警備領域内の状況を検出するセンシング手段を用いた警備システムであって、上記検出された警備領域内状況が変化したときに上記センシング手段によって検出される変化情報の内、ユーザーの外出時に特有の変化情報とユーザーの帰宅時に特有の変化情報をそれぞれ外出時変化情報及び帰宅時変化情報として予め記憶しておく記憶部と、上記センシング手段によって検出された変化情報がユーザーの外出によるものか帰宅によるものかを上記記憶部に記憶された上記外出時変化情報又は上記帰宅時変化情報と照合して判定する判定部と、該判定部からの判定信号に基づいて警備モード又は警備解除モードの維持又は切り替えを行うモード設定部とを有することを特徴とする警備システム。
【請求項２】
上記送信機と上記受信機の少なくとも一方を複数台備えることを特徴とする請求項１記載の警備システム。
【請求項３】
上記送信機に受信機能を内蔵すると共に上記受信機に送信機能を内蔵し、上記送信機と上記受信機間で相互に送受信を行うことを特徴とする請求項１又は請求項２に記載の警備システム。
【請求項４】
上記請求項１に記載の警備システムにおけるモード設定方法であって、上記センシング手段により警備領域内状況の変化情報を検出し、上記判定部にて当該変化情報がユーザーの外出によるものか帰宅によるものかを予め上記記憶部に記憶した上記外出時変化情報又は上記帰宅時変化情報と照合して判定し、当該判定によって上記モード設定部にて警備モード又は警備解除モードの維持又は切り替えを行うことを特徴とする警備システムにおけるモード設定方法。
【請求項５】
上記変化情報を上記警備領域内への出入口の開閉手段の変化情報とすることを特徴とする請求項４記載の警備システムにおけるモード設定方法。
【請求項６】
上記変化情報を上記警備領域内におけるユーザーの移動経路のトラッキング情報とすることを特徴とする請求項４記載の警備システムにおけるモード設定方法。
【請求項７】
上記変化情報を上記警備領域内におけるユーザーの所作情報とすることを特徴とする請求項４記載の警備システムにおけるモード設定方法。
【請求項８】
上記送信機を警備領域に出入りするユーザーの人数と同数用意し、各ユーザーが外出時に該各送信機をそれぞれ携帯することにより、上記受信機における各送信機からの電波受信の有無に基づいて上記変化情報を検出することを特徴とする請求項４記載の警備システムにおけるモード設定方法。
【請求項９】
上記警備領域内に上記送信機を少なくとも一つ配置して全ユーザーの外出時の警備を補完すると共に、上記受信機におけるユーザーが携帯する各送信機からの電波受信の有無に基づいて上記変化情報を検出することを特徴とする請求項８記載の警備システムにおけるモード設定方法。
【請求項１０】
上記受信機を警備領域に出入りするユーザーの人数と同数用意し、各ユーザーが外出時に該各受信機を携帯することにより、何れかのユーザーが携帯する上記受信機における上記送信機からの電波受信の有無に基づいて上記変化情報を検出することを特徴とする請求項４記載の警備システムにおけるモード設定方法。
【発明の詳細な説明】
【技術分野】
【０００１】
本発明は機械警備に用いられる警備システム及び該警備システムのモードの維持又は切り替えを行うモード設定方法に関する。
【背景技術】
【０００２】
従来、機械警備のために設置される警備システムにおいては、ユーザーはボタン操作により明示的にモードの設定、すなわち警備モード又は警備解除モードの維持又は切り替えを行っていた。
【０００３】
しかしながら、このようなユーザーのボタン操作によるモード設定では、誤操作や操作忘れが生じやすく、ユーザーが外出しているのに警備モードとなっていなかったり、逆にユーザーが帰宅しているのに警備解除モードになっていなかったりする可能性があり、本来の警備サービスが提供できない原因や誤通報の原因となっている。
【０００４】
そこで、物理的なセンサーやカメラを用いて自動的に警備モードと警備解除モードの設定を行う警備システムが開発されているが、物理的なセンサーやカメラなどのセンシング手段では可視的な範囲しかセンシングできず、的確な自動モード設定は実現し難い。
【０００５】
他方、下記特許文献１に示すように、送信機から送信された電波をマルチパスも含めて受信機で受信し、各電波の伝搬状況を解析して空間内の物体（巨視的物体）の位置や配置、物体や人間を含めた生物の動きや形状(体型)を把握できるセンシング手段が既知である。
【先行技術文献】
【特許文献】
【０００６】
【特許文献１】特表２０１７−５３１８１１号公報
【発明の概要】
【発明が解決しようとする課題】
【０００７】
上記特許文献１のシステムによれば、電波の特性を活かして可視的な範囲のみならず所定の領域の空間全体の状況を把握することができる。
【０００８】
本発明者は、長年の警備サービス提供の経験とノウハウを基に鋭意研究し、上記特許文献１に開示されたセンシング手段を応用し、自動的に且つ的確にモード設定を行うことができる警備システム及び該警備システムのモード設定の方法を見出し、本発明を想到するに至ったものである。
【課題を解決するための手段】
【０００９】
本発明は自動的に且つ的確にモード設定を行うことができる警備システム及び該警備システムのモード設定方法を提供する。
【００１０】
要述すると、本発明に係る警備システムは、電波を送信する送信機と該送信された電波を受信する受信機を備え、該送信機から該受信機へのマルチパスを含めた電波の伝搬情報を解析して警備領域内の状況を検出するセンシング手段を用いた警備システムであって、上記検出された警備領域内状況が変化したときに上記センシング手段によって検出される変化情報の内、ユーザーの外出時に特有の変化情報とユーザーの帰宅時に特有の変化情報をそれぞれ外出時変化情報及び帰宅時変化情報として予め記憶しておく記憶部と、上記センシング手段によって検出された変化情報がユーザーの外出によるものか帰宅によるものかを上記記憶部に記憶された上記外出時変化情報又は上記帰宅時変化情報と照合して判定する判定部と、該判定部からの判定信号に基づいて警備モード又は警備解除モードの維持又は切り替えを行うモード設定部とを有し、警備領域内状況の変化に基づき、自動的に且つ的確にモード設定を行うことができる。
【００１１】
好ましくは、上記送信機と上記受信機の少なくとも一方を複数台備えることにより、警備領域内の状況を隈なく検出することができる。
【００１２】
また、上記送信機に受信機能を内蔵すると共に上記受信機に送信機能を内蔵し、上記送信機と上記受信機間で相互に送受信を行うことにより、更に高精度に警備領域内状況を検出することができる。
【００１３】
また、本発明に係る警備システムにおけるモード設定方法は、上述した警備システム、すなわち上記センシング手段を用いると共に、上記記憶部、上記判定部及び上記モード設定部とを有する警備システムにおけるモード設定方法であって、上記センシング手段により検出された警備領域内状況が変化したときに変化情報を検出し、上記判定部にて当該変化情報がユーザーの外出によるものか帰宅によるものかを予め上記記憶部に記憶した上記外出時変化情報又は上記帰宅時変化情報と照合して判定し、当該判定によって上記モード設定部にて警備モード又は警備解除モードの維持又は切り替えを行うことにより、警備領域内状況の変化に基づき、自動的に且つ的確にモード設定を行うことができる。
【００１４】
好ましくは、上記変化情報を上記警備領域内への出入口の開閉手段の変化情報とするか、又は上記警備領域内におけるユーザーの移動経路のトラッキング情報とするか、又は上記警備領域内におけるユーザーの所作情報とすることにより、確実にユーザーが外出したか否か、又は帰宅したか否かを判定することができる。ひいてはモード設定も的確に行うことができる。
【００１５】
また、上記送信機を警備領域に出入りするユーザーの人数と同数用意し、各ユーザーが外出時に該各送信機をそれぞれ携帯することにより、上記受信機における各送信機からの電波受信の有無に基づいて上記変化情報を検出し、容易に全ユーザーの外出又は帰宅を把握することができる。加えて、上記警備領域内に上記送信機を少なくとも一つ配置することにより、該警備領域内の送信機によって全ユーザーの外出時の警備を補完することもできる。
【００１６】
又は、上記受信機を警備領域に出入りするユーザーの人数と同数用意し、各ユーザーが外出時に該各受信機を携帯することにより、何れかのユーザーが携帯する上記受信機における上記送信機からの電波受信の有無に基づいて上記変化情報を検出し、容易に全ユーザーの外出又は帰宅を把握することができる。
【発明の効果】
【００１７】
本発明に係る警備システムによれば、容易にユーザーが外出したか否か又は帰宅したか否かを判定でき、当該判定に基づき自動的且つ的確にモード設定を行うことができる。
【００１８】
本発明に係る警備システムにおけるモード設定方法によれば、警備領域内の様々な状況変化に応じて、自動的且つ的確に警備システムのモード設定を行うことができる。
【図面の簡単な説明】
【００１９】
【図１】本発明に係る警備システムの構成図である。
【図２】警備領域内をセンシングする状態を示す説明図である。
【図３Ａ】警備モードのときのモード維持又はモード切り替えの流れを示すフローチャートである。
【図３Ｂ】警備解除モードのときのモード維持又はモード切り替えの流れを示すフローチャートである。
【発明を実施するための形態】
【００２０】
以下、本発明に係る警備システム及び該警備システムのモード設定方法の最適な実施例を図１乃至図３に基づき説明する。
【００２１】
本発明に係る警備システムは、機械警備に用いられるものであり、図１・図２に示すように、電波を送信する送信機１と該送信された電波を受信する受信機２を備え、該送信機１から該受信機２へのマルチパスを含めた電波の伝搬情報を解析して警備領域Ｔ内の状況を検出するセンシング手段３を用いた警備システムであることを前提とする。機械警備において警備システムは、ユーザーの外出時には警備モード、つまり異常を検知した際に自動発報し警備員が駆けつけるモードに設定し、ユーザーの在宅時には警備解除モードに設定される。なお、以下の説明においては、当該センシング手段３を自動モード設定に必要な情報を得るために使用することについて説明するが、当該センシング手段３を異常検知の手段として用いることも実施に応じ任意である。
【００２２】
ここで、警備領域Ｔについて説明すると、本書において「警備領域」とは機械警備の対象となる建物（一軒家又はマンション等の住居、社屋、工場、商業施設等）における警備の対象となる領域をいう。また、「警備領域内状況」とは、警備領域内における巨視的物体の位置又は配置等の物体の状況や、機械警備サービスのユーザーの動き又は体型又は所作等のユーザーに関する状況を含む。なお、「警備」には警備業法に規定される警備はもちろんのこと、高齢者・女性・子供・障害者等の見守りや安否確認をも含む。
【００２３】
センシング手段３は警備領域Ｔ内の静状態の状況、該静状態から動状態への変化をその変化量を含めて機械学習により把握することができる。また、警備対象となる建物が住居以外の場合であっても、ユーザーが警備領域内に帰ってくることを本書においては「帰宅」と称する。
【００２４】
また、センシング手段３が活用する電波は、無線通信用の電波であればよく、たとえばWi-Fi（登録商標）、LTE(Long term evolution)（登録商標）、Bluetooth（登録商標）、ZigBee（登録商標）、LoRa（登録商標）等の無線通信に用いる電波である。
【００２５】
本発明に係る警備システムにおいては、上述した前提構成に加えて、図１・図２に示すように、警備領域Ｔ内に固定配置される本体装置４内に次の構成を備える。すなわち、本体装置４は、制御部５を有し、該制御部５に、検出された警備領域内状況が変化したときにセンシング手段３によって検出される変化情報の内、ユーザーの外出時に特有の変化情報とユーザーの帰宅時に特有の変化情報をそれぞれ外出時変化情報及び帰宅時変化情報として予め記憶しておく記憶部６と、センシング手段３によって検出された変化情報がユーザーの外出によるものか帰宅によるものかを記憶部６に記憶された外出時変化情報又は帰宅時変化情報と照合して判定する判定部７と、該判定部７からの判定信号に基づいて警備モード又は警備解除モードの維持又は切り替えを行うモード設定部８を有する構成となっている。なお、記憶部６及び判定部７は、上記の如く、ローカル装置としての本体装置４に設ける他、クラウドコンピューティング上等に配されるリモート装置に設けても良い。なお、本実施例にあっては、受信機２と本体装置４を別々の装置とし、受信機２と本体装置４の制御部５は有線又は無線の通信手段により通信できる。しかし、本発明にあっては、受信機２を本体装置４に組み込み、受信機２から制御部５へ直接的に変化情報を伝えることも実施に応じ任意である。
【００２６】
また、本体装置４の制御部５は、異常検知手段１２が検知した情報を異常情報か否かを判断する異常判断部９を有し、該異常判断部９は、通信インターフェース等から成る通信部１１を介し、ネットワーク２０を通じて、指令センターＳへ異常検知を通報する。なお、指令センターとは通報により警備員等へ駆け付け等の指令を行う施設である。
【００２７】
また、本体装置４の表示部１０は、電源のオンオフの状態や設定されているモード等を表示するものである。
【００２８】
本発明に係る警備システムにあっては、好ましくは、図２に示すように、センシング手段３における送信機１を複数台備えることにより、警備領域Ｔ内の状況を隈なく検出することができる。若しくは、具体的には図示しないが、受信機２を複数台備えることや、送信機１と受信機２の双方を複数台備えることができる。
【００２９】
送信機１及び受信機２は警備領域Ｔ内に固定配置する他、後記するように携帯可能にしてユーザーが携帯できるようにしても良い。また、送信機１に受信機能を内蔵すると共に受信機２に送信機能を内蔵し、送信機１と受信機２間で相互に送受信を行うことにより、更に高精度に警備領域内状況を検出することができる。
【００３０】
次いで、本発明に係る警備システムのモード設定方法について説明する。本発明に係る警備システムのモード設定方法は、上述した本発明に係る警備システム、すなわち送信機１と受信機２を備えたセンシング手段３を用いると共に、記憶部６、判定部７及びモード設定部８とを有する警備システムにおけるモード設定方法であって、センシング手段３により検出された警備領域内状況が変化したときに変化情報を検出し、判定部７にて当該変化情報がユーザーの外出によるものか帰宅によるものかを予め記憶部６に記憶した外出時変化情報又は帰宅時変化情報と照合して判定し、当該判定によってモード設定部８にて警備モード又は警備解除モードの維持又は切り替えを行う。
【００３１】
換言すると、図３Ａに示すように、モード設定が警備モードのときには、センシング手段３が変化情報を検出すると（Ｓ１１）、その変化情報が記憶部６に予め記憶されていた帰宅時変化情報か否かを判定部７が判定し（Ｓ１２）、当該変化情報が帰宅時変化情報と一致する場合には判定部７が帰宅時変化情報である旨の情報信号をモード設定部８へ送信し（Ｓ１３）、当該情報信号を受信したモード設定部８は警備モードから警備解除モードへの切り替えを行い（Ｓ１４）、当該変化情報が帰宅時変化情報と一致しない場合には判定部７が帰宅時変化情報でない旨の情報信号をモード設定部８へ送信し（Ｓ１５）、当該情報信号を受信したモード設定部８は警備モードを維持する（Ｓ１６）。
【００３２】
また、図３Ｂに示すように、モード設定が警備解除モードのときには、センシング手段３が変化情報を検出すると（Ｓ２１）、その変化情報が記憶部６に予め記憶されていた外出時変化情報か否かを判定部７が判定し（Ｓ２２）、当該変化情報が外出時変化情報と一致する場合には判定部７が外出時変化情報である旨の情報信号をモード設定部８へ送信し（Ｓ２３）、当該情報信号を受信したモード設定部８は警備解除モードから警備モードへの切り替えを行い（Ｓ２４）、当該変化情報が外出時変化情報と一致しない場合には判定部７が外出時変化情報でない旨の情報信号をモード設定部８へ送信し（Ｓ２５）、当該情報信号を受信したモード設定部８は警備解除モードを維持する（Ｓ２６）。
【００３３】
上記のとおり、本発明に係る警備システムのモード設定方法によれば、警備領域内の状況の変化に基づき、自動的に且つ的確にモード設定を行うことができる。ここで、変化情報について詳述する。
【００３４】
本発明にあっては、変化情報として、住居、社屋、工場、商業施設等の警備領域Ｔ内への出入口のドア、扉又は戸等の開閉手段の変化情報を用いることができる。たとえば、出入口の開閉手段の他、窓や非常口等の通常は人が出入りしない開閉手段の閉状態、開状態及び開閉動作状態等をセンシング手段３に機械学習させ、開閉手段の状態が閉状態から開閉動作状態ヘと変化したことを変化情報として捉え、該変化情報の内、出入口の開閉手段の開閉動作に関する変化情報を外出時変化情報、帰宅時変化情報として記憶部６に記憶させ、それ以外の開閉手段の開閉動作に関する変化情報ではモードの切り替えを行わないようにすることができる。また、既知の施錠確認システムと組み合わせて、より正確な外出時変化情報、帰宅時変化情報を得ることも実施に応じ任意である。
【００３５】
また、変化情報として、警備領域Ｔ内におけるユーザーの移動経路のトラッキング情報を用いることができる。たとえば、ユーザーの移動状態をセンシング手段３に機械学習させてトラッキング情報を得られるようにし、該トラッキング情報を変化情報として捉える。そして、変化情報たるトラッキング情報の内、外出時に必ず辿る経路に関するトラッキング情報を外出時変化情報、帰宅時に必ず辿る経路に関するトラッキング情報を帰宅時変化情報として記憶部６に記憶させ、それ以外の経路に関するトラッキング情報ではモードの切り替えを行わないようにすることができる。また、上述の開閉手段に関する変化情報と組み合わせて、より正確な外出時変化情報、帰宅時変化情報を得ることも実施に応じ任意である。
【００３６】
また、変化情報として、警備領域Ｔ内におけるユーザーの所作情報を用いることができる。たとえば、ユーザーの所作を行っている状態をセンシング手段３に機械学習させて所作情報を得られるようにし、該所作情報を変化情報として捉える。
【００３７】
そして、変化情報たる所作情報の内、外出時にルーティンとして行う所作、たとえば靴を履くときにしゃがむ所作、靴ベラを使用する所作、姿見を確認する所作、鍵を取り出す所作、帽子掛から帽子を取る所作等に関する所作情報を外出時変化情報、帰宅時にルーティンとして行う所作、たとえば靴を脱ぐときの所作、鍵をしまう所作、帽子掛に帽子を掛ける所作等に関する所作情報を帰宅時変化情報として記憶部６に記憶させ、外出時変化情報又は帰宅時変化情報を検出しない限り、モードの切り替えを行わないようにすることができる。また、上述の開閉手段に関する変化情報や移動経路に関する変化情報と組み合わせて、より正確な外出時変化情報、帰宅時変化情報を得ることも実施に応じ任意である。
【００３８】
上記のとおり、変化情報として、警備領域Ｔへの出入口の開閉手段に関する変化情報、ユーザーの移動経路に関する変化情報、ユーザーの所作に関する変化情報を活用することにより、確実にユーザーが外出したか否か、又は帰宅したか否かを判定することができ、ひいては警備システムのモード設定も的確に行うことができる。
【００３９】
既述した変化情報の内、移動経路に関する変化情報及びユーザーの所作に関する変化情報に基づく外出時変化情報と帰宅時変化情報は、警備領域Ｔに出入りするユーザーの人数が複数の場合には、ユーザーそれぞれについて機械学習させ、ユーザー個々の外出時変化情報と帰宅時変化情報を記憶部６に記憶させておくことが好ましい。
【００４０】
これにより、どのユーザーが外出又は帰宅したかを容易に把握することができると共に、全ユーザーが外出したか否かを容易に把握することができる。また、特に複数のユーザーに子供（未成年）と、その親を含む場合に、体型（体高等）の違いにより移動経路や所作に関する変化情報を正確にセンシングできない可能性を排除することができると共に、親の外出時の子供の外出と帰宅を把握し見守りを行うことができる。また、必要あらば、通信部１１を介しネットワーク２０を通じて、子供の外出と帰宅や、記憶部６が記憶していない変化情報をセンシングした旨を親の移動端末に通知するようにすることもできる。
【００４１】
また、上述のように、記憶部６にユーザー個々の外出時変化情報及び帰宅時変化情報を記憶させておく以外にも、たとえば、ユーザー個々の体型を記憶させておき、警備領域Ｔの出入口において、警備領域Ｔ内に入ってきた者と警備領域Ｔ外へ出ていく者の体型をセンシングし、開閉手段に関する変化情報、移動経路に関する変化情報及びユーザーの所作に関する変化情報と組み合わせて、どのユーザーが外出又は帰宅したか、全ユーザーが外出したか否かを容易に把握することができる。また、複数のユーザーに子供（未成年）と、その親を含む場合に、親の外出時の子供の外出と帰宅を把握し見守りを行うことができる。
【００４２】
本発明にあっては、さらに、送信機１を警備領域Ｔに出入りするユーザーの人数と同数用意し、各ユーザーが外出時に該各送信機１をそれぞれ携帯することにより、受信機２における各送信機１からの電波受信の有無に基づいて変化情報を検出することができる。この場合、送信機１をたとえばキーホルダー型にして鍵と一緒に携帯できるようにすることができる。また、送信機１の機能をスマートフォン等のユーザーが常備する移動端末に組み込むことも実施に応じ任意である。
【００４３】
よって、受信機２において少なくとも一つの送信機１からの電波受信がある状態から全ての送信機１からの電波受信がない状態に変化した情報を外出時変化情報とし、逆に受信機２において全ての送信機１からの電波受信がない状態から少なくとも一つの送信機１からの電波受信がある状態に変化した情報を帰宅時変化情報とすることができる。
【００４４】
したがって、送信機１から受信機２への電波の到達状況を複雑に解析することなく、容易に外出時変化情報及び帰宅時変化情報を得ることができ、警備システムの確実なる自動モード設定を実現できる。
【００４５】
上述のように、全ユーザー分の送信機１を備える場合、警備領域Ｔ内に送信機１を少なくとも一つ配置することとしてもよい。この場合、各ユーザーが携帯する送信機１からの電波と警備領域内に配される送信機１からの電波とを区別する。たとえば、警備領域Ｔ内に配される送信機１からの電波の伝播状況をセンシング手段３に機械学習させ、それ以外の送信機１からの電波についてはユーザーが携帯する送信機１からの電波として区別する。
【００４６】
そして、受信機２においてユーザーが携帯する送信機１の少なくとも一つからの電波受信がある状態からユーザーが携帯する送信機１の全てからの電波受信がない状態に変化した情報を外出時変化情報とし、逆に受信機２においてユーザーが携帯する送信機１の全てからの電波受信がない状態からユーザーが携帯する送信機１の少なくとも一つからの電波受信がある状態に変化した情報を帰宅時変化情報とすることができる。
【００４７】
したがって、この場合も、送信機１から受信機２への電波の到達状況を複雑に解析することなく、容易に外出時変化情報及び帰宅時変化情報を得ることができ、警備システムの確実なる自動モード設定を実現できる。加えて、警備領域Ｔ内に配置する送信機１により全ユーザーの外出時の警備を補完することができる。
【００４８】
また、本発明に係るモード設定方法にあっては、受信機２を警備領域Ｔに出入りするユーザーの人数と同数用意し、各ユーザーが外出時に該各受信機を携帯することにより、何れかのユーザーが携帯する受信機２における送信機１からの電波受信の有無に基づいて変化情報を検出することもできる。この場合、受信機２をたとえばキーホルダー型にして鍵と一緒に携帯できるようにすることができる。また、受信機２の機能をスマートフォン等のユーザーが常備する移動端末に組み込むことも実施に応じ任意である。
【００４９】
よって、何れかの受信機２において送信機１からの電波受信がある状態から全ての受信機２において送信機１からの電波受信がない状態に変化した情報を外出時変化情報とし、逆に全ての受信機２において送信機１からの電波受信がない状態から何れかの受信機２において送信機１からの電波受信がある状態に変化した情報を帰宅時変化情報とすることができる。
【００５０】
したがって、この場合も、送信機１から受信機２への電波の到達状況を複雑に解析することなく、容易に外出時変化情報及び帰宅時変化情報を得ることができ、警備システムの確実なる自動モード設定を実現できる。
【００５１】
以上のとおり、本発明に係る警備システム及び該警備システムのモード設定方法によれば、警備領域内状況の変化に基づき、自動的に且つ的確にモード設定を行うことができる。
【００５２】
なお、本発明に係る警備システムのセンシング手段３における送信機１の送信機能及び／又は受信機２の受信機能を、既知のスマートフォン、ネットワークルーター、アクセスポイント、ノートＰＣ、デスクトップＰＣ、タブレットコンピューター、ロボット、ドローン等に組み込むこともできる。
【符号の説明】
【００５３】
１…送信機、２…受信機、３…センシング手段、４…本体装置、５…制御部、６…記憶部、７…判定部、８…モード設定部、９…異常判断部、１０…表示部、１１…通信部、１２…異常検知手段、２０…ネットワーク、Ｔ…警備領域、Ｓ…指令センター。
【図１】
2020027408.tif 000003
【図２】
2020027408.tif 000004
【図３Ａ】
2020027408.tif 000005
【図３Ｂ】
2020027408.tif 000006
【手続補正書】
【提出日】令和1年10月15日(2019.10.15)
【手続補正１】
【補正対象書類名】特許請求の範囲
【補正対象項目名】全文
【補正方法】変更
【補正の内容】
【特許請求の範囲】
【請求項１】
電波を送信する送信機と該送信された電波を受信する受信機を備え、該送信機から該受信機へのマルチパスを含めた電波の伝搬情報を解析して警備領域内の状況を検出するセンシング手段を備え、上記検出された警備領域内状況が変化したときに上記センシング手段によって検出される変化情報の内、ユーザーの外出時に特有の変化情報とユーザーの帰宅時に特有の変化情報をそれぞれ外出時変化情報及び帰宅時変化情報として予め記憶しておく記憶部と、上記センシング手段によって検出された変化情報がユーザーの外出によるものか帰宅によるものかを上記記憶部に記憶された上記外出時変化情報又は上記帰宅時変化情報と照合して判定する判定部と、該判定部からの判定信号に基づいて警備モード又は警備解除モードの維持又は切り替えを行うモード設定部とを有する警備システムにおけるモード設定方法であって、上記センシング手段により警備領域内状況の変化情報としてユーザーの所作情報を検出し、上記判定部にて当該変化情報がユーザーの外出によるものか帰宅によるものかを予め上記記憶部に記憶した上記外出時変化情報又は上記帰宅時変化情報と照合して判定し、当該判定によって上記モード設定部にて警備モード又は警備解除モードの維持又は切り替えを行うことを特徴とする警備システムにおけるモード設定方法。
【手続補正３】
【補正対象書類名】明細書
【補正対象項目名】０００１
【補正方法】変更
【補正の内容】
【０００１】
本発明は機械警備に用いられる警備システムのモードの維持又は切り替えを行うモード設定方法に関する。
【手続補正４】
【補正対象書類名】明細書
【補正対象項目名】０００９
【補正方法】変更
【補正の内容】
【０００９】
本発明は自動的に且つ的確にモード設定を行うことができる警備システムのモード設定方法を提供する。
【手続補正５】
【補正対象書類名】明細書
【補正対象項目名】００１０
【補正方法】変更
【補正の内容】
【００１０】
要述すると、本発明に係る警備システムにおけるモード設定方法は、電波を送信する送信機と該送信された電波を受信する受信機を備え、該送信機から該受信機へのマルチパスを含めた電波の伝搬情報を解析して警備領域内の状況を検出するセンシング手段を備え、上記検出された警備領域内状況が変化したときに上記センシング手段によって検出される変化情報の内、ユーザーの外出時に特有の変化情報とユーザーの帰宅時に特有の変化情報をそれぞれ外出時変化情報及び帰宅時変化情報として予め記憶しておく記憶部と、上記センシング手段によって検出された変化情報がユーザーの外出によるものか帰宅によるものかを上記記憶部に記憶された上記外出時変化情報又は上記帰宅時変化情報と照合して判定する判定部と、該判定部からの判定信号に基づいて警備モード又は警備解除モードの維持又は切り替えを行うモード設定部とを有する警備システムにおけるモード設定方法であって、上記センシング手段により警備領域内状況の変化情報としてユーザーの所作情報を検出し、上記判定部にて当該変化情報がユーザーの外出によるものか帰宅によるものかを予め上記記憶部に記憶した上記外出時変化情報又は上記帰宅時変化情報と照合して判定し、当該判定によって上記モード設定部にて警備モード又は警備解除モードの維持又は切り替えを行う構成を有し、警備領域内状況における上記ユーザーの所作情報に基づき、自動的に且つ的確にモード設定を行うことができる。
【手続補正６】
【補正対象書類名】明細書
【補正対象項目名】００１１
【補正方法】削除
【補正の内容】
【手続補正７】
【補正対象書類名】明細書
【補正対象項目名】００１２
【補正方法】削除
【補正の内容】
【手続補正８】
【補正対象書類名】明細書
【補正対象項目名】００１３
【補正方法】削除
【補正の内容】
【手続補正９】
【補正対象書類名】明細書
【補正対象項目名】００１４
【補正方法】削除
【補正の内容】
【手続補正１０】
【補正対象書類名】明細書
【補正対象項目名】００１５
【補正方法】削除
【補正の内容】
【手続補正１１】
【補正対象書類名】明細書
【補正対象項目名】００１６
【補正方法】削除
【補正の内容】
【手続補正１２】
【補正対象書類名】明細書
【補正対象項目名】００１７
【補正方法】削除
【補正の内容】
【手続補正１３】
【補正対象書類名】明細書
【補正対象項目名】００１８
【補正方法】変更
【補正の内容】
【００１８】
本発明に係る警備システムにおけるモード設定方法によれば、警備領域内のユーザーの所作情報に応じて、自動的且つ的確に警備システムのモード設定を行うことができる。